Podtech/llm-jp-corpus-v4-ja_patent huggingface dataset:
【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
センサ読取り値に基づいて計算結果を生成するための方法であって、
2次元視覚センサ素子アレイのうちの対象センサ素子および前記対象センサ素子に隣接するセンサ素子からセンサ読取り値を受信するステップと、
前記対象センサ素子および前記対象センサ素子に隣接する前記センサ素子からの受信した前記センサ読取り値に基づいて、専用コンピュータビジョン(CV)計算ハードウェアを使用して、前記対象センサ素子に関する現在の局所CV特徴を計算するステップと、
前記対象センサ素子に関する以前に計算されたCV特徴からの前記計算された現在のCV特徴における変化に基づき、イベントを検出するステップであって、前記イベントが、前記計算されたCV特徴における前記変化に関連する前記対象センサ素子の位置に関する情報を含む、ステップと
を備える方法。
【請求項２】
前記専用CV計算ハードウェアが、専用CV処理モジュールとして、またはピクセル内回路もしくは周辺回路の一部として実装される、請求項1に記載の方法。
【請求項３】
ピクセルが、前記センサ素子とピクセル内回路とを備える、請求項1に記載の方法。
【請求項４】
前記イベントが、前記専用CV計算ハードウェアで生成され、アプリケーションプロセッサに送信されるか、また、
前記イベントが、動的視覚センサ(DVS)回路を使用して生成される、請求項1に記載の方法。
【請求項５】
前記局所CV特徴を計算することが、
局所バイナリパターン(LBP)ラベルもしくは前記LBPラベルの変形を生成すること、または
符号付き勾配(HSG)ラベルのヒストグラムを生成すること
を含む、請求項1に記載の方法。
【請求項６】
前記センサ素子アレイの複数のセンサ素子の各々が、少なくとも1つのフォトダイオードを備える、請求項1に記載の方法。
【請求項７】
請求項1から6のいずれか一項に記載の方法を実行するための、専用コンピュータビジョン(CV)プロセッサモジュールにより実行可能な命令を備える、コンピュータ可読記録媒体。
【請求項８】
2次元視覚センサ素子アレイの対象センサ素子および前記対象センサ素子に隣接するセンサ素子からセンサ読取り値を受信するための手段と、
前記対象センサ素子および前記対象センサ素子に隣接する前記センサ素子からの受信した前記センサ読取り値に基づいて、専用コンピュータビジョン(CV)計算ハードウェアを使用して、前記対象センサ素子に関する現在の局所CV特徴を計算するための手段と、
前記対象センサ素子に関する以前に計算されたCV特徴からの前記計算された現在のCV特徴における変化に基づき、イベントを検出するための手段であって、前記イベントが、前記計算されたCV特徴における前記変化に関連する前記対象センサ素子の位置に関する情報を含む、手段と
を備える装置。
【請求項９】
前記専用CV計算ハードウェアが、専用CV処理モジュールとして、またはピクセル内回路もしくは周辺回路の一部として実装された、請求項8に記載の装置。
【請求項１０】
前記イベントが、前記専用CV計算ハードウェアで生成され、アプリケーションプロセッサに送信される、請求項8に記載の装置。
【請求項１１】
前記局所CV特徴を計算することが、
局所バイナリパターン(LBP)ラベルもしくは前記LBPラベルの変形、または
符号付き勾配(HSG)ラベルのヒストグラム
を生成することを含む、請求項8に記載の装置。
【請求項１２】
前記イベントが、動的視覚センサ(DVS)回路を使用して生成される、請求項8に記載の装置。
【請求項１３】
前記装置が視覚センサである、請求項8に記載の装置。
【請求項１４】
前記センサ素子アレイのセンサ素子の各々が、少なくとも1つのフォトダイオードを備える、請求項13に記載の視覚センサ。
【手続補正書】
【提出日】平成30年7月19日(2018.7.19)
【手続補正１】
【補正対象書類名】明細書
【補正対象項目名】００４１
【補正方法】変更
【補正の内容】
【００４１】
対象の照明は、対物レンズ１０８に入って試料１０３を照明する前に種々の光学素子によって処理されてもよく、その光学素子は、１つ以上の偏光子、１つ以上の波長板、１つ以上のビーム形状コンポーネント、１つ以上のフィルタおよび１つ以上の折り畳み式鏡等であるがそれらに限定されない。例えば、図１Ｄに示すように、照明源１０２からの照明は、ＯＤ１２０（例えば３位置の）を通って、偏光子１２２および波長板１２４（例えば１／４波長板）を通って透過されてもよい。次に、ビームスプリッタ１２６は、照明源１０２からの照明の一部を、照明経路に沿って、対物レンズ１０８を通って試料１０３に方向付けてもよい。
【手続補正２】
【補正対象書類名】明細書
【補正対象項目名】００４２
【補正方法】変更
【補正の内容】
【００４２】
別の実施形態において、対物レンズ１０８は、試料１０３から散乱された照明を収集してＤＦ信号を形成する。次にＤＦ信号は、ミラー１３２によって反射されて、フィルタ１３０と無限焦点レンズ１２８を介して光学経路に沿って戻る方向に方向付けられる。次に、収集された照明は再びビームスプリッタ１５４に衝突し、それは、収集信号を、ＤＦ経路１１１に沿って方向付けられる第１の部分と、ＤＩＣ経路１１３に沿って方向付けられる第２の部分に分割するように働く。本明細書で前述したように、瞳構造１５８、１５９は、選択されたＮＡ閾値未満および選択されたＮＡ閾値を上回る照明をそれぞれ遮断（または透過）するように働く。ＤＦ経路１１１の場合、低ＮＡ光が瞳ブロック１５８によって遮断された後で、残りの高ＮＡ光はレンズ１５０（例えばチューブレンズ）を介してＤＦセンサ１１２（例えば、大型粒子監視に適した一次元センサ）に集束される。ＤＩＣ経路１１３の場合、高ＮＡ光が瞳マスク１５９によって遮断された後で、残りの低ＮＡ光はレンズ１４２（例えばチューブレンズ）を介してＤＩＣセンサ１１４（例えば二次元センサ）に集束される。
【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
複数の検体ウェルを含んでなり、前記複数の検体ウェルの各検体ウェルは、検体を受けるためのアッセイチップとインタフェースするように形成されている、機器において、
前記検体を励起させる励起エネルギーを放出するための少なくとも１つのパルス式励起光源と、
複数のセンサであって、前記複数のセンサの各センサが前記複数の検体ウェルのうちの検体ウェルに対応し、前記複数のセンサの各センサが、それぞれの検体ウェル内の前記検体からの放出エネルギーを検出するように形成され、前記複数のセンサの各センサが前記放出エネルギーの検出時間を検出することができる、センサと、
前記複数の検体ウェルの各検体ウェルからの前記放出エネルギーを前記複数のセンサのそれぞれのセンサに向かって誘導するための少なくとも１つの光学要素と
を含んでなる、機器。
【請求項２】
開口部を有した光学筐体と、
前記アッセイチップを前記光学筐体の外面に機械的に位置決めし、及び前記アッセイチップが前記機器とインタフェースする時には前記開口部と重なるように形成されている少なくとも１つの部品とをさらに備える、請求項１に記載の機器。
【請求項３】
前記少なくとも１つのパルス式励起光源は前記光学筐体の前記開口部を通して励起エネルギーを放出するように形成されている、請求項２に記載の機器。
【請求項４】
前記少なくとも１つの部品は前記光学筐体の外面に配備される、請求項２に記載の機器。
【請求項５】
前記少なくとも１つの部品は、前記開口部の周囲に設置された複数の要素を有する、請求項２に記載の機器。
【請求項６】
前記少なくとも１つの部品は、少なくとも１つの磁気要素、少なくとも１つのばね式要素、及び少なくとも１つの空気圧式要素のうちの少なくとも１つを有する、請求項２に記載の機器。
【請求項７】
前記少なくとも１つの励起光源からの励起光を前記アッセイチップに向かって反射し、かつ前記複数の検体ウェルからの前記放出エネルギーを前記複数のセンサに向かって透過させるためのポリクロイックミラーをさらに含んでなる、請求項１に記載の機器。
【請求項８】
前記少なくとも１つの光学要素がリレーレンズを含んでなる、請求項１に記載の機器。
【請求項９】
前記少なくとも１つの励起光源は複数の光源を含んでなり、前記複数の光源の各光源は、複数の波長の１つ又は複数で励起光を放出する、請求項１に記載の機器。
【請求項１０】
前記複数の光源の各々から放出される前記光を螺旋状に重複させるための波長コンバイナをさらに含んでなる、請求項９に記載の機器。
【請求項１１】
前記放出エネルギーを透過させ、かつ前記少なくとも１つの励起光源からの励起光の、吸収及び反射のうちの少なくとも一方を行うための少なくとも１つのスペクトルフィルタをさらに含んでなる、請求項１に記載の機器。
【請求項１２】
第一の波長の放出エネルギーを第二の波長の放出エネルギーから空間的に分離するための少なくとも１つのスペクトル選別要素をさらに含んでなる、請求項１に記載の機器。
【請求項１３】
前記少なくとも１つのスペクトル選別要素は回折光学要素を含んでなる、請求項１２に記載の機器。
【請求項１４】
前記回折光学要素は、前記放出エネルギーを彩色的に分散させることと、前記放出エネルギーを集光することとの両方を行う、請求項１３に記載の機器。
【請求項１５】
前記回折光学要素はオフセットフレネルレンズを含んでなる、請求項１３に記載の機器。
【請求項１６】
前記少なくとも１つのスペクトル選別要素は光フィルタ要素である、請求項１２に記載の機器。
【請求項１７】
（ｉ）励起エネルギーを前記複数の検体ウェルに誘導し、（ｉｉ）前記複数の検体ウェルに対応する前記複数のセンサからの信号を検出し、かつ（ｉｉｉ）前記信号の時間分布を使用して前記検体又はそのサブユニットを識別するようにプログラムされる制御システムをさらに含んでなる、請求項１に記載の機器。
【請求項１８】
装置において、
複数のピクセルを含むアッセイチップであって、前記複数のピクセルの各々が、
励起されると放出エネルギーを放出する検体を受けるための検体ウェルと、
前記放出エネルギーを特定の方向に誘導するための少なくとも１つの要素であって、屈折要素、回折要素、プラズモン要素、及び共振器からなる群から選択される少なくとも１つの要素と、
光路であって、それに沿って前記放出エネルギーが前記検体ウェルからセンサに向かって移動する光路と
を含んでなる、アッセイチップと、
請求項１〜１７のいずれか一項に記載の機器とからなる、装置。
【請求項１９】
前記アッセイチップは、前記機器に接続され、かつそれから取り外されるように形成され、前記アッセイチップが前記機器に接続されるときに、前記複数の検体ウェルのうちの検体ウェルと前記複数のセンサのうちの前記対応するセンサとの間の光学距離が３０ｃｍ未満である、請求項１８に記載の装置。
【請求項２０】
前記検体は、複数の波長バンドの１つの波長バンド内の前記放出エネルギーを放出する発光タグを含んでなり、及び
前記複数のセンサの各センサは、前記複数の波長バンドの各々の前記放出エネルギーを検出するように構成されるサブセンサを含んでなる、請求項１８に記載の装置。
【請求項２１】
前記複数のセンサの各センサは少なくとも２つのサブセンサを含んでなる、請求項２０に記載の装置。
【請求項２２】
前記機器は、第一の波長の放出エネルギーを前記少なくとも２つのサブセンサの第一のサブセンサに向かって誘導し、かつ第二の波長の放出エネルギーを前記少なくとも２つのサブセンサの第二のサブセンサに向かって誘導する、少なくとも１つの波長依存要素をさらに含んでなる、請求項２１に記載の装置。
【請求項２３】
前記少なくとも１つの波長依存要素は回折光学要素及びスペクトルフィルタのうちの少なくとも１つである、請求項２２に記載の装置。
【請求項２４】
各検体は、他の検体の少なくとも１つの他の発光タグの寿命と異なる寿命を有する発光タグを含んでなる、請求項１８に記載の装置。
【請求項２５】
第一の検体に関連付けられる第一の発光タグは、第一の波長の光で励起されるが、第二の波長の光では励起されず、及び
第二の検体に関連付けられる第二の発光タグは、前記第二の波長の光で励起されるが、前記第一の波長の光では励起されない、請求項２０に記載の装置。
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
第１の端部及び第２の端部を有するアセンブリであって、前記第２の端部がプロセス側ガスの漏れを防止するように構成されたアセンブリと、
前記第１の端部において前記アセンブリに入る回転シャフトと、
複数のプレナムを覆って配置される少なくとも１つの多孔質媒体要素を備える、外部加圧されたスラストベアリングであって、前記回転シャフトを支え、前記プロセス側ガスを前記第１の端部にて前記アセンブリ内にシールするように構成された外部加圧されたスラストベアリングと
を備える回転装置。
【請求項２】
前記アセンブリの前記第２の端部に蓋がかぶせられている、請求項１に記載の回転装置。
【請求項３】
前記外部加圧されたスラストベアリングが、ベントレスシールである、請求項１に記載の回転装置。
【請求項４】
追加のシャフトシールを必要としない、請求項１に記載の回転装置。
【請求項５】
ラジアルベアリングを更に備え、前記ラジアルベアリングが外部加圧されたガスベアリングである、請求項１に記載の回転装置。
【請求項６】
第１の端部及び第２の端部を有するアセンブリであって、前記第２の端部がプロセス側ガスの漏れを防止するように構成されたアセンブリと、
前記第１の端部において前記アセンブリに入る回転シャフトと、
前記回転シャフトを支え、前記プロセス側ガスを前記第１の端部にて前記アセンブリ内にシールするように構成された外部加圧されたスラストベアリングと、を備え、
前記外部加圧されたスラストベアリングが、バランスピストンとして働くように構成され、
前記外部加圧されたスラストベアリングが、複数のプレナムを覆って配置される４つの多孔質媒体リングを更に備え、加圧されたガスを、インプットポートを介して前記複数のプレナムに導く伝導経路を有し、また、４つのベント孔を更に備え、その結果、処理済みのプロセスガスが前記コンプレッサーから漏れない、
回転装置。
【請求項７】
インプットポートにおけるインプットガスの圧力を調整することによって、圧力がシール面全体で平衡することができる、請求項６に記載の回転装置。
【請求項８】
スラスト荷重を平衡させるために、処理済みプロセスガス又は不活性ガスを前記インプットポートに導入することができる、請求項６に記載の回転装置。
【請求項９】
前記４つの多孔質媒体リングは、グラファイト、カーボン、シリコンカーバイド、多孔質ダイヤモンド、タングステンカーバイド、アルミナ、カーボン−カーボン、ダイヤモンド又はダイヤモンドに類似するコーティングを施した多孔質カーボン基材等の任意の多孔質又は焼結材料で作ることができるか、又は３Ｄプリントを使用して製造できる、請求項６に記載の回転装置。
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
基体上にプラスチックポリマーベースの複合層を有する摺動エンジン部品であって、
上記複合層は、プラスチックポリマーベース材料のマトリクスと、該マトリクスの全体にわたって分散された官能グラフェンナノプレートレットとを含んでいる
ことを特徴とする摺動エンジン部品。
【請求項２】
請求項１において、
上記官能グラフェンナノプレートレットは、カルボキシ基で官能基化されたグラフェンナノプレートレットを含んでいる
ことを特徴とする摺動エンジン部品。
【請求項３】
請求項１または２において、
上記官能グラフェンナノプレートレットは、アミノ基で官能基化されたグラフェンナノプレートレットを含んでいる
ことを特徴とする摺動エンジン部品。
【請求項４】
請求項１〜３のいずれか１項において、
上記官能グラフェンナノプレートレットは、一部が官能基化されたグラフェンナノプレートレットを含んでいる
ことを特徴とする摺動エンジン部品。
【請求項５】
請求項１〜４のいずれか１項において、
０．０１〜４重量％の上記官能グラフェンナノプレートレットを含んでいる
ことを特徴とする摺動エンジン部品。
【請求項６】
請求項４において、
０．１〜２重量％の上記官能グラフェンナノプレートレットを含んでいる
ことを特徴とする摺動エンジン部品。
【請求項７】
請求項１〜６のいずれか１項において、
上記官能グラフェンナノプレートレットは、２０μｍ以下の最大平面寸法を有している
ことを特徴とする摺動エンジン部品。
【請求項８】
請求項７において、
上記官能グラフェンナノプレートレットは、５０ｎｍ未満の厚みを有している
ことを特徴とする摺動エンジン部品。
【請求項９】
請求項１〜８のいずれか１項において、
上記官能グラフェンナノプレートレットは、平均で２０層以下である
ことを特徴とする摺動エンジン部品。
【請求項１０】
請求項９において、
上記官能グラフェンナノプレートレットは、平均で４層以下である
ことを特徴とする摺動エンジン部品。
【請求項１１】
請求項９において、
上記官能グラフェンナノプレートレットは、平均で少なくとも５層から１０層である
ことを特徴とする摺動エンジン部品。
【請求項１２】
請求項９において、
上記官能グラフェンナノプレートレットは、平均で少なくとも１１層である
ことを特徴とする摺動エンジン部品。
【請求項１３】
請求項１〜１２のいずれか１項において、
上記プラスチックポリマー材料は、ポリアミドイミド樹脂、アクリル樹脂、エポキシ樹脂、フルオロポリマー、およびポリベンゾイミダゾールからなる群から選択される
ことを特徴とする摺動エンジン部品。
【請求項１４】
請求項１〜１３のいずれか１項において、
摺動軸受は、半割軸受シェル、スラストワッシャ、または軸受ブッシュである
ことを特徴とする摺動エンジン部品。
【請求項１５】
請求項１〜１４のいずれか１項に記載の摺動エンジン部品を備えたエンジン。
【請求項１６】
請求項１〜１４のいずれか１項に記載の、内燃エンジン用の摺動エンジン部品を形成するための平坦シート要素。
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
エンジンシステムにおける第１部品および第２部品の間の第１流路であって、第１アスピレータが前記第１流路の一部を形成している、第１流路と、
前記第１部品および前記第２部品の間の第２流路であって、第２アスピレータが前記第２流路の一部を形成し、かつ遮断弁が前記第２流路の一部を形成して、前記第１アスピレータを通る流れを遮断することなく前記第２流路を通る流れを遮断する、第２流路と、
を備えるエンジンシステムであって、
前記第１アスピレータが導管を画定し、前記導管は、該導管を収束セクションおよび発散セクションに分離するベンチュリ間隙を有し、前記第２アスピレータは、導管を画定し、前記導管は、該導管を収束セクションおよび発散セクションに分離するベンチュリ間隙を有し、
吸引ハウジングは、吸引ポートを有し、前記第１アスピレータおよび前記第２アスピレータの前記ベンチュリ間隙を結合的に接合し、前記第１アスピレータおよび前記第２アスピレータがそれぞれ吸入口を有し、かつ前記第１アスピレータの前記吸入口が前記第２アスピレータの前記吸入口と両方のベンチュリ間隙の流体連通をし、両方の前記吸入口が吸入ポートと流体連通して、前記吸入ポートを通るトータルの組み合わせ吸引を行う、エンジンシステム。
【請求項２】
前記第１アスピレータが第１駆動出口を有し、前記第２アスピレータが第２駆動出口を有し、かつ前記第１駆動出口の大きさおよび／または形が前記第２駆動出口の大きさおよび／または形と異なっている、請求項１に記載のエンジンシステム。
【請求項３】
前記第１駆動出口が前記第２駆動出口よりも大きい、請求項２に記載のエンジンシステム。
【請求項４】
前記第２駆動出口が前記第１駆動出口よりも大きい、請求項２に記載のエンジンシステム。
【請求項５】
前記遮断弁が空気圧で作動する、請求項１に記載のエンジンシステム。
【請求項６】
前記遮断弁が電磁気的に作動する、請求項１に記載のエンジンシステム。
【請求項７】
前記吸引ポートおよび少なくとも１つの前記第１および第２アスピレータの前記吸入口の間に配置されたチェックバルブをさらに備える、請求項１に記載のエンジンシステム。
【請求項８】
前記吸引ポートおよび前記第１アスピレータおよび前記第２アスピレータの両方の前記吸入口の間に配置されたチェックバルブをさらに備える、請求項１に記載のエンジンシステム。
【請求項９】
前記第１アスピレータおよび前記第２アスピレータの少なくとも１つがバイパスポートをさらに備える、請求項１に記載のエンジンシステム。
【請求項１０】
前記遮断弁が前記第２アスピレータの下流の前記第２流路内に配置されている、請求項１に記載のエンジンシステム。
【請求項１１】
真空を生成するためのシステムであって、該システムが、
導管を画定する第１アスピレータであって、前記導管は、該導管を収束セクションおよび発散セクションに分離するベンチュリ間隙を有する、第１アスピレータと、
導管を画定する第２アスピレータであって、前記導管は、該導管を収束セクションおよび発散セクションに分離するベンチュリ間隙を有する、第２アスピレータと、
吸引ポートを有する吸引ハウジングであって、前記吸引ポートを通るトータルの組み合わせ吸引を行うために、前記吸引ポートとの両方のベンチュリ間隙の流体連通のために前記第１アスピレータの前記ベンチュリ間隙を前記第２アスピレータの前記ベンチュリ間隙に結合的に接合する、吸引ハウジングと、
前記第１アスピレータを通る流れを遮ることなく、第２アスピレータを通る流れを遮断するために前記第２アスピレータの流路に配置された遮断弁と、
を備え、
前記吸引ポートが前記第１アスピレータおよび前記第２アスピレータの両方を真空または真空リザーバーを必要とする同じデバイスに接続する、システム。
【請求項１２】
前記第１アスピレータの前記ベンチュリ間隙および前記吸引ハウジングの間に配置された第１チェックバルブ、および前記第２アスピレータの前記ベンチュリ間隙および前記吸引ハウジングの間に配置された第２チェックバルブをさらに備える、請求項１１に記載のシステム。
【請求項１３】
前記遮断弁が空気圧で作動する請求項１１に記載のシステム。
【請求項１４】
前記遮断弁が電磁気的に作動する、請求項１１に記載のシステム。
【請求項１５】
前記第１アスピレータの前記収束セクションが第１駆動出口を有し、前記第２アスピレータの前記収束セクションが第２駆動出口を有し、かつ前記第１駆動出口の大きさおよび／または形が前記第２駆動出口の大きさおよび／または形と異なっている、請求項１１に記載のシステム。
【請求項１６】
前記第１駆動出口が前記第２駆動出口よりも大きい、請求項１５に記載のシステム。
【請求項１７】
前記第２駆動出口が前記第１駆動出口よりも大きい請求項１５に記載のシステム。
【請求項１８】
前記遮断弁が前記第２アスピレータの下流の流路に配置されている、請求項１１に記載のシステム。
【請求項１９】
前記第１アスピレータが前記吸引ハウジングと流体連通するバイパスポートをさらに備える、請求項１１に記載のシステム。
【手続補正書】
【提出日】平成30年9月12日(2018.9.12)
【手続補正１】
【補正対象書類名】特許請求の範囲
【補正対象項目名】請求項１５
【補正方法】変更
【補正の内容】
【請求項１５】
架橋剤はメチルヒドロシロキサン−ジメチルシロキサンコポリマーである、請求項４〜７のいずれか一項に記載の高分子材料。
【手続補正２】
【補正対象書類名】特許請求の範囲
【補正対象項目名】請求項２１
【補正方法】変更
【補正の内容】
【請求項２１】
フルオロシリコーンベース組成物の前記第１の部分は更にインヒビターを含む、請求項２０に記載の方法。
【手続補正書】
【提出日】平成30年3月16日(2018.3.16)
【手続補正１】
【補正対象書類名】明細書
【補正対象項目名】０１１９
【補正方法】変更
【補正の内容】
【０１１９】
実施例３
ＭＳＣ１およびＭＳＣ２の極性化は、多数のＭＳＣ源にわたって均一である。
３つの異なる商用源からのヒトＭＳＣドナー、および６つまでの異なるドナーを、ＭＳＣ１に極性化した。ヒトＭＳＣを欠如下（ＭＳＣ１）または０．５ｎｇ／ｍＬのヒト組み換えエリスロポエチン、および２００μＭの塩化コバルト存在下（ＭＳＣ１＊）のどちらかにおいて、１０ｎｇ／ｍＬのＬＰＳを含有している培養培地を使用して、極性化した。全ＲＮＡをｃＤＮＡへ、単離、精製、および逆転写した。定量的リアルタイムＰＣＲを、ＳＹＢＲ  Ｇｒｅｅｎ  Ｍａｓｔｅｒ  Ｍｉｘを用いて、実行した。データを比較定量ＣＴ法を用いて分析し、１８Ｓ  ｒＲＮＡハウスキーピング遺伝子への標的遺伝子発現を標準化し、データを未処理の対照に対する倍率増加として示した。ＴＲＡＩＬ遺伝子の発現は、ＭＳＣ１誘導後に、組み合わせたドナーを含む全てのドナーにおいて、著しく増加した（図５）。エラーバーは、＋／−ＳＥＭを表す。１：９５℃ ｆｏｒ ０：３０、２：９５℃ ｆｏｒ ０：１０、３：６８℃ ｆｏｒ ０：３０、Ｐｌａｔｅ Ｒｅａｄ、４：ＧＯＴＯ２、３９回さらに実施する、プロトコルを用いる、使用されるヒトｃＤＮＡプライマー：Ｃｘｃｌ９  フォワード−ＣＴＴ  ＴＣＣＴＧＧ  ＣＴＡ  ＣＴＣ  ＣＡＴ  ＧＴＴ（ＳＥＱ ＩＤ ＮＯ：１）  リバース−ＧＴＴ  ＧＧＴ  ＣＡＣＴＧＧ  ＣＴＧ  ＡＴＣ  ＴＡＴ  ＡＡ（ＳＥＱ ＩＤ ＮＯ：２）；  Ｔｒａｉｌ  フォワード−ＣＴＴ  ＣＡＣ  ＡＧＴ  ＧＣＴ  ＣＣＴ  ＧＣＡ  ＧＴ（ＳＥＱ ＩＤ ＮＯ：３）  リバース−ＴＴＡ  ＧＣＣ  ＡＡＣＴＡＡ  ＡＡＡ  ＧＧＣ  ＣＣＣ（ＳＥＱ ＩＤ ＮＯ：４）；  １８Ｓｒ  ＲＮＡ  フォワード−ＧＡＧＧＧＡＧＣＣＴＧＡＧＡＡＡＣＧＧ（ＳＥＱ ＩＤ ＮＯ：５）、リバース−ＧＴＣＧＧＧＡＧＴＧＧＧＴＡＡＴＴＴＧＣ（ＳＥＱ ＩＤ ＮＯ：６）。
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
操作された免疫細胞の活性化のレベルを調節するための方法であって、
（a）キメラ抗原受容体（CAR）をコードする少なくとも第1のポリヌクレオチドによって、免疫細胞をトランスフェクトする工程であって、CARが外部リガンドによってインビボおよび/またはインビトロで活性化され得、CARが第1の二量体形成ドメインを含む、工程；ならびに
（b）免疫細胞がCARおよび阻害性膜タンパク質（IMP）複合体を共発現するように、操作された阻害性膜タンパク質（IMP）複合体をコードする少なくとも第2のポリヌクレオチドによって、免疫細胞をさらにトランスフェクトする工程であって、IMP複合体が、1つの細胞内阻害性シグナリングドメインおよび1つの第2の二量体形成ドメインを少なくとも含む、工程；
（c）CARによってシグナルが伝達されるように、操作された免疫細胞を外部リガンドと接触させる工程；ならびに、次いで、
（d）IMPとCARの非共有結合的に結合した高分子複合体を形成するために、IMPの二量体形成ドメインおよびCAR分子の二量体形成ドメインに結合する可溶性化合物を添加することによって、CARのシグナル伝達のレベルを低下させる工程
を含み、それによって、操作された免疫細胞の活性化のレベルを調節する、前記方法。
【請求項２】
第1および第2の二量体形成ドメインがCID二量体形成ドメインである、請求項1記載の方法。
【請求項３】
免疫細胞がT細胞である、請求項1または2記載の方法。
【請求項４】
二量体形成ドメインが細胞外にある、請求項1〜3のいずれか一項記載の方法。
【請求項５】
両方の二量体形成ドメインが細胞内にある、請求項1〜3のいずれか一項記載の方法。
【請求項６】
阻害性シグナリングドメインがPD1に由来する、請求項1〜5のいずれか一項記載の方法。
【請求項７】
可溶性化合物がラパログである、請求項1〜6のいずれか一項記載の方法。
【請求項８】
可溶性化合物がラパマイシンである、請求項1〜6のいずれか一項記載の方法。
【請求項９】
第1および第2の二量体形成ドメインが、それぞれSEQ ID NO：14およびSEQ ID NO：15と少なくとも80％の同一性を有する、請求項1〜8のいずれか一項記載の方法。
【請求項１０】
キメラ抗原受容体（CAR）による活性化のレベルが阻害性膜タンパク質（IMP）複合体によって制御される、操作された免疫細胞を作製するための方法であって、
（a）CARをコードする少なくとも第1のポリヌクレオチドによって、免疫細胞をトランスフェクトする工程であって、CARが第1の二量体形成ドメインを含む、工程；
（b）阻害性ドメインを転位させる可溶性化合物と接触される、1つの阻害性シグナリングドメインおよび1つの第2の二量体形成ドメインを少なくとも含む操作されたIMP複合体をコードする少なくとも第2のポリヌクレオチドによって、免疫細胞をトランスフェクトする工程；ならびに
（c）第1および第2のポリペプチドが膜において共発現されている免疫細胞を選択する工程
を含み、
両方の二量体形成ドメインが、可溶性化合物の存在を介して互いに非共有結合的に結合可能である、前記方法。
【請求項１１】
T細胞受容体（TCR）成分をコードする少なくとも1つの遺伝子を不活化する工程をさらに含む、請求項10記載の方法。
【請求項１２】
少なくとも2つの膜貫通キメラポリペプチド：
・ 1つの二量体形成ドメインを含むキメラ抗原受容体である、第1の膜貫通キメラポリペプチド；
・ 1つの細胞内阻害性シグナリングドメインおよび1つの二量体形成ドメインを少なくとも含む操作された阻害性膜タンパク質（IMP）複合体である、第2の膜貫通キメラポリペプチド
を含む、阻害性二重CAR/IMP複合体であって、
両方の二量体形成ドメインが、可溶性化合物の存在を介して互いに非共有結合的に結合可能である、前記阻害性二重CAR/IMP複合体。
【請求項１３】
両方の二量体形成ドメインが細胞外に位置する、請求項12記載の阻害性二重CAR/IMP複合体。
【請求項１４】
阻害性ドメインがPD-1である、請求項12または13記載の阻害性二重CAR/IMP複合体。
【請求項１５】
二量体形成ドメインがFKBPまたはFRBである、請求項12〜14のいずれか一項記載の阻害性二重CAR/IMP複合体。
【請求項１６】
第1および第2の二量体形成ドメインが、それぞれSEQ ID NO：14およびSEQ ID NO：15と少なくとも80％の同一性を有する、請求項15記載の阻害性二重CAR/IMP複合体。
【請求項１７】
表面上で、少なくとも1つの細胞内阻害性シグナリングドメインを含む阻害性膜タンパク質（IMP）複合体と共にキメラ抗原受容体（CAR）を発現する、操作された免疫細胞であって、CARおよびIMPが二量体形成ドメインを各々含み、両方の二量体形成ドメインが、IMPとCARの非共有結合的に結合した高分子複合体を形成するために同一の可溶性化合物と相互作用する、前記操作された免疫細胞。
【請求項１８】
IMPキメラポリペプチドの阻害性ドメインが、PD-1、CTLA-4、LAG3、Tim3、BTLA、BY55、TIGIT、LAIR1、SIGLEC10、2B4、PPP2CA、PPP2CB、PTPN6、PTPN22、CD96、CRTAM、SIGLEC7、SIGLEC9、TNFRSF10B、TNFRSF10A、CASP8、CASP10、CASP3、CASP6、CASP7、FADD、FAS、TGFBRII、TGFRBRI、SMAD2、SMAD3、SMAD4、SMAD10、SKI、SKIL、TGIF1、IL10RA、IL10RB、HMOX2、IL6R、IL6ST、EIF2AK4、CSK、PAG1、SIT1、FOXP3、PRDM1、BATF、GUCY1A2、GUCY1A3、GUCY1B2、GUCY1B3の中から選択される、請求項17記載の操作された免疫細胞。
【請求項１９】
両方の二量体形成ドメインが細胞外にある、請求項17または18記載の操作された免疫細胞。
【請求項２０】
両方の二量体形成ドメインが細胞内にある、請求項17または18記載の操作された免疫細胞。
【請求項２１】
その必要のある患者を処置するための方法において使用するための医薬の製造のための、請求項17〜20のいずれか一項記載の操作された免疫細胞の使用であって、
該方法が、
免疫細胞の患者への投与、
患者における免疫細胞の活性化を調節するための二量体形成の化学的誘導剤（CID）の投与
を含む、前記使用。
【請求項２２】
IMPとCARの非共有結合的に結合した高分子複合体を形成するために、IMPの二量体形成ドメインおよびCARの二量体形成ドメインに結合可能な可溶性化合物と組み合わせた、請求項17〜20のいずれか一項記載の操作された免疫細胞。
【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
ワイヤレス電力伝達システムにおける磁場成分を感知するための装置であって、
強磁性透磁性基板と、
前記強磁性透磁性基板上に配置された少なくとも3つの共面コイルであり、受信された磁場によって誘起された信号を生成するように構成された少なくとも3つの共面コイルと、
前記コイルに動作可能に接続され、前記コイルによって生成された前記信号に基づいて少なくとも2つの出力を生成するように構成された処理システムであり、前記出力が、前記受信された磁場の少なくとも2つのベクトル成分を示す、処理システムと
を含む装置。
【請求項２】
前記処理システムが、ベクトル出力を提供するために信号合成器および検出器を含み、前記信号合成器が、前記コイルによって生成された前記信号を結合するように構成され、前記検出器が、前記ベクトル出力を生成するために、前記信号に非線形演算を実行するように構成される、請求項1に記載の装置。
【請求項３】
前記信号合成器が、前記受信された磁場の方向が前記少なくとも3つのコイルの平面に垂直であるときに最大である前記ベクトル出力のベクトル成分を生成するように信号を結合するように構成される、請求項2に記載の装置。
【請求項４】
前記信号合成器が、前記受信された磁場の方向が前記少なくとも3つのコイルの平面に平行であるときに最大である前記ベクトル出力のベクトル成分を生成するように信号を結合するように構成される、請求項2に記載の装置。
【請求項５】
信号合成器が、x、y、またはzベクトル成分出力のうちの少なくとも1つを生成するために、前記少なくとも3つのコイルのうちの少なくとも2つのコイルの組合せからの信号を結合する、請求項2に記載の装置。
【請求項６】
前記少なくとも3つのコイルが、少なくとも1つの対称軸を提供する幾何学的配置に配置される、請求項1に記載の装置。
【請求項７】
前記少なくとも3つのコイルのうちの1つまたは複数のコイルが、前記少なくとも3つのコイルのうちの別のコイルと重なる、請求項1に記載の装置。
【請求項８】
前記処理システムが、前記少なくとも3つのコイルによって生成された前記信号に基づいて3つの出力を生成するように構成され、前記3つの出力の各々が、前記受信された磁場の前記3つのベクトル成分(Vx,Vy,Vz)のうちの1つを示す、請求項1に記載の装置。
【請求項９】
前記少なくとも3つのコイルの環境に対する感度を低減するように構成された導電性バックプレートをさらに含み、前記導電性バックプレートが、前記コイルの反対側の前記強磁性透磁性基板上に配置される、請求項1に記載の装置。
【請求項１０】
前記少なくとも3つのコイルが、プリント回路基板内またはプリント回路基板上に配置される、請求項1に記載の装置。
【請求項１１】
前記プリント回路基板、前記少なくとも3つのコイル、および前記強磁性透磁性基板が、誘導電力伝達を実行するように構成された誘導電力伝達結合器内に配置される、請求項10に記載の装置。
【請求項１２】
前記強磁性透磁性基板、および前記少なくとも3つの共面コイルが、誘導電力伝達を実行するように構成された誘導電力伝達結合器内に配置されるように構成される、請求項1に記載の装置。
【請求項１３】
ワイヤレス電力伝達システムにおける磁場成分を感知するための方法であって、
強磁性透磁性基板上に配置された少なくとも3つの共面コイルを介して磁場を受信するステップと、
前記強磁性透磁性基板を介して、前記少なくとも3つの共面コイルを通る前記磁場を変化させるステップと、
前記少なくとも3つのコイルを介して前記受信された磁場によって誘起された信号を生成するステップと、
処理システムを介して、前記少なくとも3つのコイルによって生成された前記信号に基づいて少なくとも2つの出力を生成するステップであり、前記出力が、前記受信された磁場の少なくとも2つのベクトル成分を含む、ステップと
を含む方法。
【請求項１４】
前記少なくとも2つの出力を生成するステップが、信号合成器を介して、前記少なくとも3つのコイルによって生成された信号を結合するステップと、検出器を介して前記ベクトル出力を生成するために、前記信号に非線形演算を実行するステップとを含む、請求項13に記載の方法。
【請求項１５】
前記少なくとも3つのコイルによって生成された信号を結合するステップが、前記受信された磁場の方向が前記少なくとも3つのコイルの平面に垂直であるときに最大である前記ベクトル出力のベクトル成分を生成するように前記信号を結合するステップを含む、請求項14に記載の方法。
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
上皮細胞増殖因子受容体（ＥＧＦＲ）遺伝子に変異を伴う細胞を抱える可能性のある腫瘍を有する患者を同定する方法であって、配列番号１における変異２２５７−２２７７＞ＧＣＣ、又は変異２２５７−２２６２  ｄｅｌ、又は変異２２６６−２２７７  ｄｅｌにより特徴付けられる、変異されたＥＧＦＲ遺伝子の存在について患者の試料を試験することを含み；これにより、該患者の試料中の変異の存在は、該患者が、ＥＧＦＲ阻害剤化合物に対し感受性があることを示す、方法。
【請求項２】
前記ＥＧＦＲ阻害剤化合物が、セツキシマブ、パニツムマブ、エルロチニブ又はゲフィチニブである、請求項１記載の方法。
【請求項３】
変異Ｇ７１９Ａ、Ｇ７１９Ｃ、Ｋ７４５−Ａ７５０  ｄｅｌ  Ｋ  ｉｎｓ、Ｅ７４６Ｖ、Ｅ７４６Ｋ、Ｌ７４７Ｓ、Ｅ７４９Ｑ、Ａ７５０Ｐ、Ａ７５５Ｖ、Ｓ７６８Ｉ、Ｌ８５８Ｐ、Ｌ８５８Ｒ、Ｅ７４６−Ｒ７４８  ｄｅｌ、Ｅ７４６−Ｓ７５２  ｄｅｌ  Ｖ  ｉｎｓ、Ｌ７４７−  Ｅ７４９  ｄｅｌ、Ｌ７４７−Ａ７５０  ｄｅｌ  Ｐ  ｉｎｓ、Ｌ７４７−Ｔ７５１  ｄｅｌ、Ｌ７４７−Ｔ７５１  ｄｅｌ  Ｐ  ｉｎｓ、Ｌ７４７−Ｐ７５３  ｄｅｌ  Ｓ  ｉｎｓ、Ｌ７４７−Ｓ７５２  ｄｅｌ、Ｒ７４８−Ｐ７５３  ｄｅｌ、Ｔ７５１−Ｉ７５９  ｄｅｌ  Ｔ  ｉｎｓ、Ｓ７５２−Ｉ７５９  ｄｅｌ、Ｐ７５３−  Ｋ７５７  ｄｅｌ、Ｍ７６６−Ａ７６７  ｄｅｌ  ＡＩ  ｉｎｓ、Ｓ７６８−Ｖ７６９  ｄｅｌ  ＳＶＡ  ｉｎｓ、Ｇ７７９Ｓ、Ｐ８４８Ｌ、Ｇ８５７Ｖ、Ｌ８５８Ｒ、Ｌ８６１Ｑ、Ｌ８８３Ｓ、Ｄ８９６Ｙ、２２３６＿２２４８＞ＡＣＣＣ、２２３７＿２２４４＞ＣＧＣＣＣ、２２５２＿２２７７＞ＡＣ、２２４０−２２６４＞ＣＧＡＡＡＧＡ、２２３９＿２２４０  ＴＴ＞ＣＣ、２２６４  Ｃ＞Ａ及びＥ７４６−Ａ７５０  ｄｅｌ  ＡＰ  ｉｎｓの１又は複数により特徴付けられる、変異されたＥＧＦＲ遺伝子の存在について、患者の試料を試験すること；並びに、
もし１又は複数の変異が存在するならば、チロシンキナーゼ阻害剤による治療が成功する見込みがあることを決定すること、
を更に含む、請求項１又は２記載の方法。
【請求項４】
チロシンキナーゼ阻害剤療法に対する癌患者の反応の尤度を決定する方法であって、
（ａ）患者の試料中の、ＥＧＦＲ遺伝子の変異２２５７−２２７７＞ＧＣＣ、又は変異２２５７−２２６２  ｄｅｌ、又は変異２２６６−２２７７  ｄｅｌに関して、患者の試料を試験すること、並びに、もし変異が存在するならば、
（ｂ）患者が、チロシンキナーゼ阻害剤療法に対し反応する見込みがあることを決定すること、
を含む、方法。
【請求項５】
前記チロシンキナーゼ阻害剤療法が、セツキシマブ、パニツムマブ、エルロチニブ又はゲフィチニブを含む、請求項４記載の方法。
【請求項６】
（ａ）ＥＧＦＲ遺伝子の変異Ｇ７１９Ａ、Ｇ７１９Ｃ、Ｋ７４５−Ａ７５０  ｄｅｌ  
Ｋ  ｉｎｓ、Ｅ７４６Ｖ、Ｅ７４６Ｋ、Ｌ７４７Ｓ、Ｅ７４９Ｑ、Ａ７５０Ｐ、Ａ７５５Ｖ、Ｓ７６８Ｉ、Ｌ８５８Ｐ、Ｌ８５８Ｒ、Ｅ７４６−Ｒ７４８  ｄｅｌ、Ｅ７４６−Ｓ７５２  ｄｅｌ  Ｖ  ｉｎｓ、Ｌ７４７−Ｅ７４９  ｄｅｌ、Ｌ７４７−Ａ７５０  ｄｅｌ  Ｐ  ｉｎｓ、Ｌ７４７−Ｔ７５１  ｄｅｌ、Ｌ７４７−Ｔ７５１  ｄｅｌ  Ｐ  ｉｎｓ、Ｌ７４７−Ｐ７５３  ｄｅｌ  Ｓ  ｉｎｓ、Ｌ７４７−Ｓ７５２  ｄｅｌ、Ｒ７４８−Ｐ７５３  ｄｅｌ、Ｔ７５１−Ｉ７５９  ｄｅｌ  Ｔ  ｉｎｓ、Ｓ７５２−Ｉ７５９  ｄｅｌ、Ｐ７５３−Ｋ７５７  ｄｅｌ、Ｍ７６６−Ａ７６７  ｄｅｌ  ＡＩ  ｉｎｓ、Ｓ７６８−Ｖ７６９  ｄｅｌ  ＳＶＡ  ｉｎｓ、Ｇ７７９Ｓ、Ｐ８４８Ｌ、Ｇ８５７Ｖ、Ｌ８５８Ｒ、Ｌ８６１Ｑ、Ｌ８８３Ｓ、Ｄ８９６Ｙ、２２３６＿２２４８＞ＡＣＣＣ、２２３７＿２２４４＞ＣＧＣＣＣ、２２５２＿２２７７＞ＡＣ、２２４０−２２６４＞ＣＧＡＡＡＧＡ、２２３９＿２２４０  ＴＴ＞ＣＣ、２２６４  Ｃ＞Ａ及びＥ７４６−Ａ７５０  ｄｅｌ  ＡＰ  ｉｎｓの１又は複数について、患者の試料を更に試験する工程；並びに
（ｂ）もし変異のいずれかが存在すると報告されたならば、患者は、チロシンキナーゼ阻害剤療法に対し反応する見込みがあるであろうと決定する工程、
を更に含む、請求項４又は５記載の方法。
【請求項７】
前記１又は複数の変異が、アレル特異的検出法によるか又はＤＮＡシークエンシングにより検出される、請求項１〜６のいずれか一項記載の方法。
【請求項８】
変異−特異的オリゴヌクレオチドにより、ヒトＥＧＦＲ遺伝子の変異２２５７−２２７７＞ＧＣＣ、又は変異２２５７−２２６２  ｄｅｌ、又は変異２２６６−２２７７  ｄｅｌを検出する方法。
【請求項９】
前記オリゴヌクレオチドが、増幅プライマー又は検出プローブである、請求項８記載の方法。
【請求項１０】
前記１又は複数の変異が、アレル特異的検出法によるか又はＤＮＡシークエンシングにより検出される、請求項８記載の方法。
【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
第１のワイヤレスデバイスを動作する方法であって、
第２のワイヤレスデバイスとＷｉ−Ｆｉ接続を確立することと、
前記第１のワイヤレスデバイスを通常動作モードで動作することと、
前記第２のワイヤレスデバイスへの前記Ｗｉ−Ｆｉ接続に関連付けられたＷｉ−Ｆｉアクティビティを検出することと、
前記検出されたＷｉ−Ｆｉアクティビティに少なくとも部分的に基づいて、前記通常動作モードを終了し、前記第１のワイヤレスデバイスを低電力モードで動作することと、
前記第２のワイヤレスデバイスとＢＬＵＥＴＯＯＴＨ低エネルギ（ＢＬＥ）接続を確立することと、
前記第２のワイヤレスデバイスから、同期されたＢＬＥメッセージを受信することと、前記ＢＬＥメッセージは、前記第１のワイヤレスデバイスによって送信されるＷｉ−Ｆｉビーコンに同期される、
を備える方法。
【請求項２】
前記同期されたＢＬＥメッセージに少なくとも部分的に基づいて、前記低電力モードを終了し、前記第１のワイヤレスデバイスを前記通常動作モードで動作すること
をさらに備える、請求項１に記載の方法。
【請求項３】
前記検出されたＷｉ−Ｆｉアクティビティに少なくとも部分的に基づいて、モード制御信号を生成することをさらに備え、ここにおいて、前記モード制御信号のアサーションは、前記第１のワイヤレスデバイスの電力消費を低減する、
請求項１に記載の方法。
【請求項４】
Ｗｉ−Ｆｉアクティビティを検出することは、
前記第２のワイヤレスデバイスに関連付けられたＷｉ−Ｆｉアクティビティを検出しなかった後、タイムアウト期間を待つことと、
前記タイムアウト期間の後に前記第２のワイヤレスデバイスに関連付けられたＷｉ−Ｆｉアクティビティを検出することと
を備える、請求項１に記載の方法。
【請求項５】
第１のワイヤレスデバイスであって、
Ｗｉ−Ｆｉトランシーバと、
ＢＬＵＥＴＯＯＴＨトランシーバと、
プロセッサと、
命令を格納しているメモリと
を備え、前記命令は、前記プロセッサによって実行されると、前記第１のワイヤレスデバイスに、
第２のワイヤレスデバイスへのＷｉ−Ｆｉ接続を確立することと、
前記第１のワイヤレスデバイスを通常動作モードで動作することと、
Ｗｉ−Ｆｉアクティビティを検出するために、前記第１のワイヤレスデバイスと前記第２のワイヤレスデバイスとの間でのＷｉ−Ｆｉメッセージをモニタリングすることと、
前記検出されたＷｉ−Ｆｉアクティビティに少なくとも部分的に基づいて、前記通常動作モードを終了し、前記第１のワイヤレスデバイスを低電力モードで動作することと
前記第２のワイヤレスデバイスとＢＬＵＥＴＯＯＴＨ低エネルギ（ＢＬＥ）接続を確立することと、
前記第２のワイヤレスデバイスから、同期されたＢＬＥメッセージを受信することと、前記ＢＬＥメッセージは、前記第１のワイヤレスデバイスによって送信されるＷｉ−Ｆｉビーコンに同期される、
を行わせる、ワイヤレスデバイス。
【請求項６】
ＢＬＵＥＴＯＯＴＨトランシーバをさらに備え、ここにおいて、前記命令の実行は、前記第１のワイヤレスデバイスに、
前記同期されたＢＬＥメッセージに少なくとも部分的に基づいて、前記低電力モードを終了し、前記第１のワイヤレスデバイスを前記通常動作モードで動作すること
をさらに行わせる、請求項５に記載のワイヤレスデバイス。
【請求項７】
前記命令の実行は、前記第１のワイヤレスデバイスに、
前記検出されたＷｉ−Ｆｉアクティビティに少なくとも部分的に基づいて、モード制御信号を生成すること
をさらに行わせ、ここにおいて、前記モード制御信号のアサーションは、前記第１のワイヤレスデバイスの電力消費を低減する、
請求項５に記載のワイヤレスデバイス。
【請求項８】
第１のワイヤレスデバイスを動作する方法であって、
第２のワイヤレスデバイスとＢＬＵＥＴＯＯＴＨ低エネルギ（ＢＬＥ）接続を確立することと、
前記第２のワイヤレスデバイスとＷｉ−Ｆｉ接続を確立することと、
第３のワイヤレスデバイスとＷｉ−Ｆｉ接続を確立することと、
前記第１のワイヤレスデバイスと前記第２のワイヤレスデバイスとの間のおよび前記第１のワイヤレスデバイスと前記第３のワイヤレスデバイスとの間のＷｉ−Ｆｉ通信をスケジューリングするようにスケジューラを動作することと、
前記第２のワイヤレスデバイスから、同期されたＢＬＥメッセージを受信することと、前記ＢＬＥメッセージは、前記第１のワイヤレスデバイスによって送信されるＷｉ−Ｆｉビーコンに同期される、
前記受信されたＢＬＥメッセージに少なくとも部分的に基づいてスケジューラ動作を決定することと
を備える方法。
【請求項９】
前記スケジューラ動作を決定することは、前記スケジューラの動作を一時停止することを備える、請求項８に記載の方法。
【請求項１０】
前記ＢＬＥメッセージは、前記第１のワイヤレスデバイスに関するバッファされたデータが前記第２のワイヤレスデバイスにあるかどうかを示す、請求項８に記載の方法。
【請求項１１】
前記第１のワイヤレスデバイスおよび前記第２のワイヤレスデバイスは、Ｗｉ−Ｆｉネットワークのメンバであり、前記第１のワイヤレスデバイスおよび前記第３のワイヤレスデバイスは、ピア・ツー・ピアネットワークのメンバである、請求項８に記載の方法。
【請求項１２】
第１のワイヤレスデバイスであって、
Ｗｉ−Ｆｉトランシーバと、
ＢＬＵＥＴＯＯＴＨトランシーバと、
プロセッサと、
命令を格納しているメモリと
を備え、前記命令は、前記プロセッサによって実行されると、前記第１のワイヤレスデバイスに、
第２のワイヤレスデバイスとＢＬＵＥＴＯＯＴＨ低エネルギ（ＢＬＥ）接続を確立することと、
前記第２のワイヤレスデバイスとＷｉ−Ｆｉ接続を確立することと、
第３のワイヤレスデバイスとＷｉ−Ｆｉ接続を確立することと、
前記第１のワイヤレスデバイスと前記第２のワイヤレスデバイスとの間のおよび前記第１のワイヤレスデバイスと前記第３のワイヤレスデバイスとの間のＷｉ−Ｆｉ通信をスケジューリングするようにスケジューラを動作することと、
前記第２のワイヤレスデバイスから、同期されたＢＬＥメッセージを受信することと、前記ＢＬＥメッセージは、前記第１のワイヤレスデバイスによって送信されるＷｉ−Ｆｉビーコンに同期される、
前記受信されたＢＬＥメッセージに少なくとも部分的に基づいてスケジューラ動作を決定することと
を行わせる、第１のワイヤレスデバイス。
【請求項１３】
前記スケジューラ動作を決定するための前記命令の実行は、前記スケジューラの動作を一時停止することを前記第１のワイヤレスデバイスにさらに行わせる、請求項１２に記載の第１のワイヤレスデバイス。
【請求項１４】
前記ＢＬＥメッセージは、前記第１のワイヤレスデバイスに関するバッファされたデータが前記第２のワイヤレスデバイスにあるかどうかを示す、請求項１２に記載の第１のワイヤレスデバイス。
【請求項１５】
請求項１−４および／または８−１１に記載の方法のうちのいずれかを実行するように適合されたコンピュータプログラム。